(57)【要約】【課題】複数のディスプレイのうちの一部のディスプレイの映像信号再生処理能力が不足している場合においても、装置全体の映像表示タイミングを合わせることを可能とするマルチディスプレイ装置を提供する。【解決手段】マルチディスプレイ装置１は、任意の映像信号を圧縮してネットワークに送信する映像送信サーバ１００から送信された映像信号を、ネットワークを介して受信して所望の映像を表示する複数のディスプレイＡ２１０〜ディスプレイＤ２４０から構成される。複数のディスプレイＡ２１０〜ディスプレイＤ２４０は、映像送信サーバ１００から送信された映像信号を所定の表示フレームレートで再生できない場合、再生可能な表示フレームレートを他のディスプレイに通知する。通知を受信した他のディスプレイは通知された表示フレームレートを基に、複数のディスプレイのいずれも再生可能なフレームレートに変更して映像信号を表示する。【選択図】図１
2017107173.tif 000002
【特許請求の範囲】
【請求項１】
ネットワークに接続された複数のディスプレイを組み合わせて一つの映像を表示するマルチディスプレイ装置であって、
前記複数のディスプレイの各々は、
前記ネットワークを介して通信を行う通信部と、
映像信号を所定の表示フレームレートで再生できるか否かを判断し、前記所定の表示フレームレートで再生できない場合、前記所定の表示フレームレートから前記表示フレームレートを変更すると共に変更される前記表示フレームレートを他のディスプレイに通知し、
前記他のディスプレイから変更される前記表示フレームレートが通知された場合、通知された前記表示フレームレートに変更して前記映像信号を再生する、
制御部と、を備える、
マルチディスプレイ装置。
【請求項２】
前記複数のディスプレイの各々は、メモリを備え、
前記制御部は、前記メモリに記憶された所定のテーブルに基づいて、前記所定の表示フレームレートから前記表示フレームレートを変更する、
請求項１記載のマルチディスプレイ装置。
【請求項３】
前記複数のディスプレイのうちからマスターディスプレイを設定し、
前記マスターディスプレイ以外の前記複数のディスプレイの前記制御部は、変更される前記表示フレームレートを前記マスターディスプレイに通知し、
前記マスターディスプレイの前記制御部は、通知された前記表示フレームレートのうち、最も小さい前記表示フレームレートを前記マスターディスプレイ以外の前記複数のディスプレイに通知する、
請求項１または２記載のマルチディスプレイ装置。
【請求項４】
前記マスターディスプレイの前記制御部は、同一のディスプレイから変更される前記表示フレームレートが所定の回数を超えて通知された場合、通知された前記表示フレームレートを前記マスターディスプレイ以外の前記複数のディスプレイに通知する、
請求項３記載のマルチディスプレイ装置。
【請求項５】
前記制御部は、変更される前記表示フレームレートを、変更される前記表示フレームレートに対応する映像信号を表示しているディスプレイのみに通知する、
請求項１記載のマルチディスプレイ装置。
【請求項６】
前記複数のディスプレイの前記制御部は、前記表示フレームレートを変更するタイミングを前記映像信号に含まれる情報から取得する、
請求項１〜５記載のマルチディスプレイ装置。
【請求項７】
ネットワークに接続された複数のディスプレイを組み合わせて一つの映像を表示するマルチディスプレイ装置であって、
前記複数のディスプレイの各々は、
前記ネットワークを介して通信を行う通信部と、
他のディスプレイに対して前記他のディスプレイが表示している映像信号の特定情報を送信するように要求する要求信号を送信し、前記他のディスプレイから前記特定情報を受信し、受信した前記特定情報と本来表示すべき映像信号の特定情報との間に差分がある場合、前記差分のある前記特定情報を送信した前記他のディスプレイに対し補正を通知する、制御部と、を備える、
マルチディスプレイ装置。
【請求項８】
前記複数のディスプレイの前記制御部は、相互に時刻同期を定期的に行う、
請求項７記載のマルチディスプレイ装置。
【請求項９】
前記制御部は、相互の通信により前記複数のディスプレイのうちからマスターディスプレイを設定し、
前記マスターディスプレイの前記制御部が前記他のディスプレイに対し前記要求信号を送信する、
請求項７または８記載のマルチディスプレイ装置。
【請求項１０】
ネットワークに接続される複数のディスプレイと、
前記ネットワークを介して、前記複数のディスプレイの各々に対しＩＰアドレスを付与するＩＰアドレス割り振り器と、
前記ネットワークを介して前記ＩＰアドレス割り振り器と接続される制御端末と、から構成され、
前記制御端末は、前記複数のディスプレイの各々に対して前記ＩＰアドレス割り振り器から付与された前記ＩＰアドレスを表示させる制御信号を送信する、
マルチディスプレイ装置。
【請求項１１】
前記制御端末は、
前記複数のディスプレイの各々に付与された前記ＩＰアドレスの一覧表示および前記複数のディスプレイの各々の配置位置に対応した配置マップを表示し、
前記一覧表示における前記ＩＰアドレスと前記配置マップにおける前記配置位置とが対応付けられることにより、対応付けられた前記ＩＰアドレスを前記一覧表示から消去する、
請求項１０記載のマルチディスプレイ装置。
【発明の詳細な説明】
【技術分野】
【０００１】
本開示は、マルチディスプレイ装置に関する。
【背景技術】
【０００２】
特許文献１は、複数の分割映像を複数のディスプレイで表示することにより全体で一つの映像を表示するマルチディスプレイシステムを開示する。このマルチディスプレイシステムは、映像信号部から各ディスプレイに対して送信される映像信号の１フレーム分の中に、当該フレームの番号を示す映像マーカを挿入し、このような映像マーカが挿入された映像信号を受信した各ディスプレイは、映像マーカに含まれるフレーム番号が一致するように相互のディスプレイ間で同期をとり、映像表示を行う。これにより、複数のディスプレイ全体で一つの映像を違和感なく表示することができる。
【０００３】
特許文献２は、複数のストリームをネットワーク経由で伝送し、受信側でそれぞれのストリームを同期させて表示するマルチストリーム再生システムを開示する。このマルチストリーム再生システムは、各々時刻データが付加された複数のストリームを受信したマルチストリーム同期化装置において、各ストリームに付加された時刻データを比較し、その比較結果から最も遅延しているストリーム以外のストリームをバッファに記憶し、最も遅延していたとされるストリームと同期が取れるタイミングで、この記憶されたストリームを読み出して出力させる。これにより、複数のストリームの同期再生を行うことができる。
【０００４】
特許文献３は、イーサネット（登録商標）の標準プロトコルであるブロードキャストを用いたマルチディスプレイ装置を開示する。このマルチディスプレイ装置は、映像送信サーバと複数台のディスプレイとをイーサケーブルでバス型に接続し、映像送信サーバから映像ストリームを各ディスプレイに送信する。これにより、擬似的に一つの大型ディスプレイを構成することができる。
【０００５】
特許文献４は、特許文献３と同様のマルチディスプレイ装置を開示する。このマルチディスプレイ装置は、各ディスプレイに固有のＩＰアドレスを割り当てるＤＨＣＰサーバと、各ディスプレイの表示映像を撮影する撮像装置と、特定のアドレスを有するディスプレイに対して表示データを送信する装置を備える。これにより、各ディスプレイの物理的な表示位置とＩＰアドレスとを関連づけることができる。
【先行技術文献】
【特許文献】
【０００６】
【特許文献１】特開２０１３−２０５８２１号公報
【特許文献２】特開２００５−２２３８２１号公報
【特許文献３】特開２０１３−１０６１３２号公報
【特許文献４】特開２００８−１６４９８６号公報
【発明の概要】
【発明が解決しようとする課題】
【０００７】
特許文献１によると、受信側となるディスプレイの映像信号再生処理能力が不足している場合、所望のタイミングで所望のフレーム番号を有するフレームを表示できず、結果として、各ディスプレイ間で映像信号の表示タイミングが合わないといった現象が生じる。
【０００８】
特許文献２によると、ストリームの再生処理能力が不足していることにより、再生処理時間が所定の時間内に収まらず、ストリームに付加された時刻データに所望のストリーム映像が表示できない受信機が混在している場合が生じる。この最も表示が遅延している受信機の表示タイミングを基準に同期再生を行うことになり、本来、ストリームが要求している所望のタイミングで表示が行えなくなると共に、ストリーム映像の表示スケジュール運用をしている場合、スケジュール遅延の原因となり、運用に支障が生じる。
【０００９】
特許文献３によると、ＤＨＣＰサーバの機能を備えた映像送信サーバから各ディスプレイに対して、自動的にＩＰアドレスが割り与えられるが、各々のディスプレイが擬似的に構成された一つの大型ディスプレイにおいて、物理的にどの位置に配置されるかが不明である。そのため、物理的な配置位置と各ディスプレイのＩＰアドレスとを手動で関連づける設定をしなければならず、例えば、５×５のマルチディスプレイの場合、２５台分の設定を行うという煩雑な作業工数が発生する。
【００１０】
一方、特許文献４によると、撮像装置を準備し、マルチディスプレイ装置全体を撮像可能な位置に設置する工数が別途発生する。
【００１１】
本開示は、映像送信サーバと複数のディスプレイをネットワークで接続し、装置全体の映像表示タイミングおよび映像表示位置を合わせることを可能とするマルチディスプレイ装置を提供する。
【課題を解決するための手段】
【００１２】
本開示におけるマルチディスプレイ装置は、ネットワーク接続された複数のディスプレイを組み合わせて一つの映像を表示するマルチディスプレイ装置である。複数のディスプレイの各々は、ネットワークを介して通信を行う通信部と、制御部とを有する。制御部は、映像信号を所定の表示フレームレートで再生できるか否かを判断し、所定の表示フレームレートで再生できない場合、所定の表示フレームレートから表示フレームレートを変更すると共に変更される表示フレームレートを他のディスプレイに通知する。また、制御部は、他のディスプレイから変更される表示フレームレートが通知された場合、通知された表示フレームレートに変更して映像信号を再生する。
【００１３】
本開示における他のマルチディスプレイ装置は、ネットワーク接続された複数のディスプレイを組み合わせて一つの映像を表示するマルチディスプレイ装置である。複数のディスプレイの各々は、ネットワークを介して通信を行う通信部と、制御部とを有する。制御部は、他のディスプレイに対して他のディスプレイが表示している映像信号の特定情報を送信するように要求する要求信号を送信し、他のディスプレイから特定情報を受信し、受信した特定情報と本来表示すべき映像信号の特定情報との間に差分がある場合、差分のある特定情報を送信した他のディスプレイに対し補正を通知する。
【００１４】
本開示におけるさらに他のマルチディスプレイ装置は、ネットワークに接続される複数のディスプレイと、ネットワークを介して複数のディスプレイの各々に対しＩＰアドレスを付与するＩＰアドレス割り振り器と、ネットワークを介してＩＰアドレス割り振り器と接続される制御端末と、から構成される。制御端末は、複数のディスプレイの各々に対してＩＰアドレス割り振り器から付与されたＩＰアドレスを表示させる制御信号を送信する。
【発明の効果】
【００１５】
本開示におけるマルチディスプレイ装置は、複数のディスプレイ全体で１つの映像を表示する際、各ディスプレイ間の映像表示タイミングおよび映像表示位置を容易に合わせることに有効である。
【図面の簡単な説明】
【００１６】
【図１】実施の形態１におけるマルチディスプレイ装置の構成図
【図２】実施の形態におけるディスプレイの構成を示すブロック図
【図３】実施の形態１におけるマルチディスプレイ装置の動作を説明するためのフローチャート
【図４】実施の形態１におけるマルチディスプレイ装置の変形例の動作を説明するためのフローチャート
【図５】実施の形態２におけるマルチディスプレイ装置の動作を説明するためのフローチャート
【図６】実施の形態３におけるマルチディスプレイ装置の動作を説明するためのフローチャート
【図７】実施の形態４におけるマルチディスプレイ装置の動作を説明するためのディスプレイ表示画面の一例を示す図
【図８】実施の形態４におけるマルチディスプレイ装置の動作を説明するためのフローチャート
【図９】実施の形態５におけるマルチディスプレイ装置の動作を説明するためのフローチャート
【図１０】実施の形態５におけるマルチディスプレイ装置において、マスターディスプレイを決定する動作を説明するためのフローチャート
【図１１】実施の形態６におけるマルチディスプレイ装置の構成図
【図１２】実施の形態６におけるマルチディスプレイ装置の動作を説明するためのフローチャート
【図１３】実施の形態６における複数のディスプレイ上にＩＰアドレスを表示させる動作を説明するための構成図
【図１４】実施の形態６における制御端末上の表示画面の一例を示す図
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分に理解するために、提供されるのであって、これらにより特許請求の範囲に記載の主題を限定することは意図されていない。
【００１９】
（実施の形態１）
以下、図１〜４を用いて、実施の形態１を説明する。
【００２０】
［１−１．構成］
図１は、実施の形態１に係るマルチディスプレイ装置の構成図である。
【００２１】
図１において、映像送信サーバ１００は、ネットワーク接続されたディスプレイＡ２１０、ディスプレイＢ２２０、ディスプレイＣ２３０、及びディスプレイＤ２４０に対し任意の映像信号を送信する。一般的にネットワーク帯域幅は有限であるため、映像送信サーバ１００から送信される映像信号は適切なサイズに圧縮された後にネットワークを介して送信される。ディスプレイＡ２１０〜ディスプレイＤ２４０は、ネットワークを介して映像送信サーバ１００とネットワーク接続されると共に相互でネットワークを介して通信可能なディスプレイである。映像送信サーバ１００は、ディスプレイＡ２１０〜ディスプレイＤ２４０の各々に対して同時に同じ内容の映像信号を送信する。各ディスプレイＡ２１０〜ディスプレイＤ２４０は、それぞれが表示を受け持つ受信映像の一部を切り出して表示する。これによって、４つのディスプレイＡ２１０〜ディスプレイＤ２４０を組み合わせにより、１つの映像が表示される。一般的に、映像信号は、映像送信サーバ１００からストリーミング形式或いはファイル形式として各ディスプレイに送信され記憶されるが、ＵＳＢメモリデバイスやＳＤメモリカードといった外部記憶装置を介して各ディスプレイに記憶させても良い。
【００２２】
図２は、各ディスプレイの構成を示すブロック図である。各ディスプレイとも同じ構成であり、図２ではディスプレイＡ２１０を代表して示している。すなわち、ディスプレイＡ２１０は、ネットワークを介して通信を行うための通信部２１１と、液晶表示パネルからなる表示部２１２と、各種データを格納するメモリ２１３と、これら通信部２１１、表示部２１２、メモリ２１３を制御する制御部２１４から構成される。制御部２１４は、例えばマイクロコンピュータから構成される。このディスプレイの構成は各実施の形態１〜６に共通の構成である。メモリ２１３に格納されるデータは、具体的には、映像送信サーバから送られる映像信号、及びこの映像信号の一部を切り出して作成した表示用の映像信号である。
【００２３】
図１において、説明を簡便化するために、ディスプレイＡ２１０〜ディスプレイＤ２４０の４つのディスプレイで一つの画面（映像）を構成する例を示しているが、このディスプレイの数や物理的配置には様々なバリエーションがあり、本実施の形態１に示した構成に限らない。また、図１において、映像送信サーバ１００と各ディスプレイＡ２１０〜ディスプレイＤ２４０を直接ネットワークで接続した例を示しているが、スイッチングハブやネットワークルーターといったネットワーク中継器を間に挿入した構成を用いても同等である。
【００２４】
［１−２．動作］
以上のように構成されたマルチディスプレイ装置について、その動作を以下説明する。図３は、実施の形態１におけるマルチディスプレイ装置の動作を説明するためのフローチャートである。尚、本実施の形態の動作説明において、便宜上、映像送信サーバ１００から送信される映像信号に対し所望の再生処理能力がディスプレイＡ２１０のみ不足しているケースを用いて以下、説明する。また、フローチャートにおける処理動作は、ディスプレイＡ２１０〜ディスプレイＤ２４０の各々が備える制御部２１４によって行われる。
【００２５】
映像送信サーバ１００から送信された任意の圧縮方式により圧縮された映像信号を受信したディスプレイＡ２１０〜ディスプレイＤ２４０は、各々映像信号を復号して再生する。一般的な動画信号の圧縮方式にはＨ．２６４やＭＰＥＧ４−ＡＶＣといった方式が知られている。このとき、ディスプレイＡ２１０〜ディスプレイＤ２４０の制御部は、復号した映像信号が所望の表示フレームレート（１秒間に表示するフレーム数）で再生しているか否か（フレームの欠落の有無）を各々判定する（ステップＳ１）。
【００２６】
ステップＳ１において、ディスプレイＡ２１０〜ディスプレイＤ２４０は、この映像信号に付与されている情報より、この映像信号の映像圧縮方式、音声圧縮方式、映像表示解像度および表示フレームレートなどの情報を得ることが可能なため、映像信号の表示フレームレートと実際に復号された映像信号の表示フレームレートとを比較可能である。
【００２７】
ここで、ディスプレイＡ２１０の映像再生処理能力が所望の性能を満たさず、所望の表示フレームレートが得られない（フレームの欠落が有る）場合（ステップＳ１でＹＥＳ）、ディスプレイＡ２１０の制御部は、表示フレームレートをこの映像信号が持つ本来の表示フレームレートより抑制（低く）して表示する（ステップＳ２）。
【００２８】
ディスプレイＡ２１０で復号された映像信号の表示フレームレートが所望の表示フレームレートに届かない原因の例としては、ディスプレイＡ２１０に内蔵される内部処理クロック周波数が低い場合や、複数の処理を同時に行う事により、結果としてその映像信号の復号処理にかかるリソースを割けずに復号処理能力不足となるケースが挙げられる。例えば、１秒間に６０枚のフレーム表示を行う６０ｆｐｓ（ｆｒａｍｅ  ｐｅｒ  ｓｅｃｏｎｄ）の映像信号が映像送信サーバ１００から送信されたとき、ディスプレイＡ２１０で表示される１枚のフレームは、
１／６０ｆｐｓ≒１６．７ｍｓｅｃ
の間隔で表示されなければならない。しかしながら、ディスプレイＡ２１０の復号処理能力が不足し、１枚のフレームを表示させるのに２０ｍｓｅｃかかる場合、１秒間では、
１ｓｅｃ／２０ｍｓｅｃ＝５０フレーム
しか表示されず表示フレームの欠落が無い場合と比較して、１０フレームの映像分の
１／６０ｍｓｅｃ×１０フレーム≒１６７ｍｓｅｃ
の遅延が１秒ごとに蓄積される。そのため、マルチディスプレイ装置を構成する他のディスプレイＢ２２０〜ディスプレイＤ２４０と映像表示タイミングが徐々にずれるという不具合が生じる。
【００２９】
ステップＳ２における具体的な表示フレームレートの変更方法（表示フレームレートの抑制）の一例として、変更する表示フレームレートのテーブルを予めメモリ２１３に設けておく手法がある。この場合、変更する表示フレームレートを、映像送信サーバ１００から送信される映像信号が持つ表示フレームレートの１／２、１／４、１／８と定義しておき、そのルールに則って、メモリ２１３に記憶することができる。例えば、前述のケースで説明を行うと、６０ｆｐｓの映像信号に対し、１枚のフレームを表示させるのに２０ｍｓｅｃ要した場合、ステップＳ２において、
６０ｆｐｓ／２＝３０ｆｐｓ
とすることにより、１枚のフレームを表示させるのに許容される復号時間は、
１／３０ｆｐｓ≒３３．３ｍｓｅｃ  ＞  ２０ｍｓｅｃ
となり、確実に所望の時刻に所望の表示フレームを表示可能となる。この場合、
フレーム番号１  表示
フレーム番号２  非表示
フレーム番号３  表示
・
・
・
と更に定義し、奇数番あるいは偶数番の表示フレームのみを表示するようにメモリ２１３のテーブルに記述することにより、ディスプレイＡ２１０は、遅延することなく映像を表示することができる。
【００３０】
ステップＳ２により決定された表示フレームレートは、制御部２１４の動作によりディスプレイＡ２１０からネットワークを介して他のディスプレイＢ２２０〜ディスプレイＤ２４０に通知される（ステップＳ３）。
【００３１】
ステップＳ３により、その通知を受信した他のディスプレイＢ２２０〜ディスプレイＤ２４０は、表示すべき映像信号の表示フレームレートを変更（抑制）する（ステップＳ４）。これにより、特定のディスプレイＡ２１０のみ遅延して、マルチディスプレイ装置１全体の映像表示のタイミングが揃わないといった不具合を解消可能となる。
【００３２】
ステップＳ４において、表示フレームレートを変更するタイミングを映像送信サーバ１００から送信される映像信号に埋め込まれたタイムスタンプ或いはフレーム番号で規定することにより、確実に映像表示のタイミングを全ディスプレイＡ２１０〜ディスプレイＤ２４０間で合わせることが可能となる。なお、ステップＳ１において、フレームの欠落が無い場合（ステップＳ１のＮＯ）、ディスプレイＡ２１０の制御部２１４は、ステップＳ２からＳ４の処理を行わず処理を終了する。
【００３３】
［変形例］
図４は、実施の形態１におけるマルチディスプレイ装置１の変形例の動作を説明するためのフローチャートである。尚、図３のフローチャートで用いた動作ステップと同一の動作については同一の符号を用い、説明を省略する。また、マルチディスプレイ装置１の構成自体は、図１、図２と同じである。
【００３４】
映像送信サーバ１００から送信された映像信号が持つ表示フレームレートが６０ｆｐｓの時、ディスプレイＡ２１０でこの映像信号を復号する時間が４０ｍｓｅｃであった場合、
１／４０ｍｓｅｃ＝２５ｆｐｓ
となり、メモリ２１３に記憶されたテーブルに従って、この映像信号の表示フレームレートを１／２としても、
６０ｆｐｓ／２＝３０ｆｐｓ  ＞  ２５ｆｐｓ
となり、所望のタイミングで所望の表示フレームが表示されない。この場合、図３に示すフローチャートで動作させると、ディスプレイＡ２１０〜ディスプレイＤ２４０の各々は、テーブルに従い、表示フレームレートを１／２に設定した後に、再度１／４に設定し直すという手間が生じる。
【００３５】
そこで、図４に示すように、ステップＳ２の後に、ディスプレイＡ２１０の制御部２１４は表示フレームレートが所望の値となっているかどうかの判断をする（ステップＳ５）。これにより、他のディスプレイＢ２２０〜ディスプレイＤ２４０において、何度も表示フレームレートを変更する手間を省くと共に表示フレームレートが変更となるタイミングでの画質劣化の頻度を削減することが可能となる。
【００３６】
このように、各ディスプレイの制御部は映像送信サーバから送信された映像信号を所望の表示フレームレートで再生できるか否かを判断し、所望の表示フレームレートで再生できない場合、再生可能な表示フレームレートを他のディスプレイに通知する。そして、通知を受信した他のディスプレイは通知された表示フレームレートを基に、複数のディスプレイのいずれも再生可能なフレームレートに変更して映像信号を表示部に表示する。
【００３７】
［１−３．効果等］
以上のように、本実施の形態において、映像表示に関わる処理性能が不足しているディスプレイが混在していても、マルチディスプレイ装置１全体として映像表示タイミングを合わせることができる。
【００３８】
（実施の形態２）
以下、図５を用いて、実施の形態２を説明する。
【００３９】
［２−１．構成］
マルチディスプレイ装置１の構成自体は、実施の形態１で示した図１、及び図２の構成と同じであるので、その説明は省略する。
【００４０】
［２−２．動作］
図５は、実施の形態２におけるマルチディスプレイ装置１の動作を説明するためのフローチャートである。図５のフローチャートにおいて実施の形態１と同じ処理ステップについては、同一符号を付して、その説明は省略する。また、フローチャートにおける処理動作は、ディスプレイＡ２１０〜ディスプレイＤ２４０が備える制御部２１４によって行われる。
【００４１】
図１のように構成されたマルチディスプレイ装置１において、その構成要素となる複数のディスプレイＡ２１０〜ディスプレイＤ２４０のうち、１台のみをディスプレイＡ２１０〜ディスプレイＤ２４０の各々の状態を把握するマスターディスプレイとして指定する。マスターディスプレイは、マルチディスプレイ装置１の初期設置時に設定しても良いし、電源起動時に最初に起動したディスプレイが他ディスプレイに対して自らがマスターディスプレイとして通知する仕組みを用いても良い。本実施の形態においては、便宜上、ディスプレイＤ２４０をマスターディスプレイとし、ディスプレイＡ２１０は映像送信サーバ１００から送信される映像信号に対し所望の再生処理能力が不足しているディスプレイとして説明を行う。
【００４２】
ステップＳ２により、変更する表示フレームレートを決定したディスプレイＡ２１０は、マスターディスプレイであるディスプレイＤ２４０に対して、所定の変更した表示フレームレートを通知する（ステップＳ６）。
【００４３】
マスターディスプレイであるディスプレイＤ２４０は、他のディスプレイＢ２２０、ディスプレイＣ２３０からの通知を待ち、通知された表示フレームレートを比較し、最も低い表示フレームレートを判断する（ステップＳ７）。
【００４４】
ステップＳ７の比較結果を基に判断された表示フレームレートをマスターディスプレイであるディスプレイＤ２４０から他のディスプレイＡ２１０〜ディスプレイＣ２３０に通知する（ステップＳ８）。これより、複数のディスプレイから表示フレームレートを変更要求があるケースにおいて、各ディスプレイが各々判断し、誤設定を行うリスクを低減すると共に、判断処理を一元化することにより、ネットワークトラフィックを低減することができ、システムをシンプルに構築することが可能となる。
【００４５】
［２−３．効果等］
以上のように、本実施の形態２において、マスターディスプレイを設けることにより、シンプルに判断処理を構築でき、映像表示に関わる処理性能が不足しているディスプレイが混在していても、マルチディスプレイ装置１全体として映像表示タイミングを合わせることができる。
【００４６】
（実施の形態３）
以下、図６を用いて、実施の形態３を説明する。
【００４７】
［３−１．構成］
マルチディスプレイ装置１の構成自体は、実施の形態１で示した図１、及び図２の構成と同じであるので、その説明は省略する。
【００４８】
［３−２．動作］
図６は、実施の形態３におけるマルチディスプレイ装置１の動作を説明するためのフローチャートである。実施の形態１及び２の処理ステップと同じ処理ステップについては、同一符号を付し、その説明は省略する。フローチャートにおける処理動作は、ディスプレイＡ２１０〜ディスプレイＤ２４０の各々が備える制御部２１４によって行われる。
【００４９】
ステップＳ６により、変更する表示フレームレートを受信したマスターディスプレイであるディスプレイＢ２２０は、その通知が同一のディスプレイから何回通知されたかを計測し、所定の通知回数と比較する（ステップＳ９）。そして、通知が所定の回数に達すると（ステップＳ９のＹＥＳ）、ステップＳ７に進み、通知が所定の回数に達していない場合（ステップＳ９のＮＯ）、ステップＳ１に戻る。これは、ディスプレイ自体は映像信号再生処理能力があるにも関わらず、突発的なＣＰＵ負荷の上昇や割り込み処理が重なったことにより、ステップＳ１で所望の表示フレームレートが確保できないレアケースを除外するために有効なステップである。ステップＳ９において、マスターディスプレイであるディスプレイＢ２２０で通知回数を一元管理することにより、ステップＳ７の判断処理をシンプルに構築することが可能となる。
【００５０】
［３−３．効果等］
以上のように、本実施の形態３において、表示フレームレートの変更通知の回数をマスターディスプレイが一元管理することにより、突発的な異常状態における映像信号再生能力不足を除外した上で、映像表示に関わる処理性能が不足しているディスプレイが混在していても、マルチディスプレイ装置１全体として映像表示タイミングを合わせることができる。
【００５１】
（実施の形態４）
以下、図７及び図８を用いて、実施の形態４を説明する。
【００５２】
［４−１．構成］
マルチディスプレイ装置１の構成自体は、実施の形態１で示した図１、及び図２の構成と同じであるので、その説明は省略する。
【００５３】
［４−２．動作］
図７は、実施の形態４におけるマルチディスプレイ装置１の動作を説明するためのディスプレイ表示画面の一例を示す図である。尚、前述した実施の形態１〜３と同じ処理ステップについては同一の符号を用い、その説明を省略する。また、フローチャートにおける処理動作は、ディスプレイＡ２１０〜ディスプレイＤ２４０の各々が備える制御部２１４によって行われる。
【００５４】
図７に示すように、マルチディスプレイ装置１は、映像送信サーバ１００から複数の映像信号Ａ及び映像信号Ｂを同時表示するように利用されるケースもある。この時、ディスプレイＢ２２０において、映像信号Ａは所望の表示フレームレートで表示可能であるが、映像信号Ｂは対応解像度や映像ビットレートが高く、所望の表示フレームレートが得られないといった現象がある。この時、実施の形態１においては、他の全てのディスプレイに対して、変更する表示フレームレートを通知したが、図７の例では、ディスプレイＢ２２０は、所望の表示フレームレートが得られない映像信号Ｂを表示しているディスプレイＤ２４０のみに変更する表示フレームレートを通知すれば良い。
【００５５】
図８は、実施の形態４におけるマルチディスプレイ装置１の動作を説明するためのフローチャートである。
【００５６】
ステップＳ２により、変更する表示フレームレートを決定したディスプレイＢ２２０は、ディスプレイＢ２２０において所望の表示フレームレートが得られない映像信号Ｂを表示しているディスプレイＤ２４０のみに対して変更した表示フレームレートを通知する（ステップＳ１０）。即ち、フレームの欠落を検知したディスプレイは、同一の映像信号を表示しているディスプレイのみに対して変更する表示フレームレートを通知する。どのディスプレイがどの映像信号を表示しているかは、映像送信サーバ１００から全てのディスプレイＡ２１０〜ディスプレイＤ２４０に対して情報を発信しても良い。
【００５７】
ステップＳ１０により、変更する表示フレームレートの通知を受信したディスプレイＤ２４０は、映像信号Ｂの表示フレームレートを所定のフレームレートに変更（抑制）する（ステップＳ１１）。
【００５８】
尚、実施の形態２、３のように、マスターディスプレイが設定されている場合は、図５、６のステップＳ６にて表示フレームレートの通知を受けたマスターディスプレイは、通知を受けた表示フレームレートに対応する映像信号と同一の映像信号を表示しているディスプレイのみに変更する表示フレームレートを通知すれば良い。
【００５９】
［４−３．効果等］
以上のように、本実施の形態４において、表示フレームレートの変更通知を、特定のディスプレイにおいて所望の表示フレームレートが得られていない映像信号を表示しているディスプレイのみに通知することにより、シンプルな構成で、映像表示に関わる処理性能が不足しているディスプレイが混在していても、マルチディスプレイ装置１全体として映像表示タイミングを合わせることができる。
【００６０】
（実施の形態５）
以下、図９〜１０を用いて、実施の形態５を説明する。
【００６１】
［５−１．構成］
マルチディスプレイ装置１の構成自体は、実施の形態１で示した図１、及び図２と同じであるので、その説明は省略する。
【００６２】
［５−２．動作］
実施の形態５に係るマルチディスプレイ装置１について、その動作を以下説明する。図９は、実施の形態５に係るマルチディスプレイ装置１の動作を説明するためのフローチャートである。尚、フローチャートにおける処理動作は、ディスプレイＡ２１０〜ディスプレイＤ２４０の各々が備える制御部２１４によって行われる。
【００６３】
映像送信サーバ１００から送信される映像信号には、フレーム番号或いはタイムスタンプが、映像信号の特定情報として、各フレームもしくは基準となるフレームに付与されている。すなわち、フレーム番号は映像信号の特定情報の一例であり、タイムスタンプは映像信号の特定情報の他の例である。
【００６４】
まず任意のディスプレイから他のディスプレイに対し、現在、その他のディスプレイ上で表示している映像信号のフレーム番号或いはタイムスタンプを通知するように要求する（ステップＳ２１）。ステップＳ２１において、特定時刻を指定し、その時刻に他のディスプレイが表示している映像信号のフレーム番号或いはタイムスタンプを要求してもよい。本実施の形態では、便宜上、その通知を要求するディスプレイをマスターディスプレイと称し、ディスプレイＤ２４０をマスターディスプレイとして以降説明するが、マスターディスプレイを決定する方法については後述する。
【００６５】
また、本実施の形態では、映像信号の付加情報としてフレーム番号を例に挙げて説明を行うが、タイムスタンプを付加情報として用いても同様な効果が得られる。映像信号は１秒間に表示するフレーム数（表示フレームレート）の情報も別途付加情報として持っているため、タイムスタンプと表示フレームレートより、タイムスタンプが付属されたフレームが、何番目のフレームに該当するかを演算することが可能である。例えば、フレームレートが６０ｆｐｓである映像信号において、タイムスタンプが２８．５０秒と記述されたフレームのフレーム番号は、次の算出式のとおり算出できる。
【００６６】
２８．５０秒×６０ｆｐｓ＝１７１０番フレーム
ステップＳ２１で、ディスプレイＤ２４０から通知を要求された他のディスプレイＡ２１０〜ディスプレイＣ２３０は、各々が表示している映像信号のフレーム番号をディスプレイＤ２４０に送信する（ステップＳ２２）。ステップＳ２２において、フレーム番号と共に、このフレーム番号が表示されている時刻をディスプレイＤ２４０に送信してもよい。例えば、同じフレーム番号を各ディスプレイが表示していたとしても、そのフレーム番号を表示する絶対時刻に相違があれば、マルチディスプレイ装置１全体としては、同期のずれた表示となり、所望の映像表示が行えない。そこで、フレーム番号と該フレーム番号の表示時刻を共にディスプレイＤ２４０へ送信することにより、特定時刻における、各ディスプレイが表示する映像信号のフレーム番号を把握することが可能となる。
【００６７】
この前提として、マルチディスプレイ装置１を構成するディスプレイＡ２１０〜ディスプレイＤ２４０の相互の絶対時刻を合わせる必要があるが、この技術に関しては、ＩＥＥＥ１５８８−２００８に定められたＰＴＰ（Ｐｒｅｃｉｓｉｏｎ  Ｔｉｍｅ  Ｐｒｏｔｏｃｏｌ）といった技術が知られている。このようなＰＴＰ技術を利用することにより、ディスプレイＡ２１０〜ディスプレイＤ２４０間の絶対時刻を合わせることが可能となる。
【００６８】
次に、ディスプレイＤ２４０は、他のディスプレイＡ２１０〜ディスプレイＣ２３０から、各々が表示している映像信号の特定時刻におけるフレーム番号を受信する（ステップＳ２３）。
【００６９】
ディスプレイＤ２４０は、ステップＳ２１で通知した特定時刻における所望のフレーム番号を演算し、その演算結果とステップＳ２３により受信したフレーム番号をディスプレイ毎に比較し、差分の有無を判断する（ステップＳ２４）。
【００７０】
例えば、６０ｆｐｓの映像信号において、２分０秒時点で表示される所望のフレーム番号は、次の算出式のとおり７２００番フレームである。
【００７１】
１２０秒×６０ｆｐｓ＝７２００番フレーム
ステップＳ２３で、ディスプレイＡ２１０から受信したフレーム番号が７１９０番であった場合、ディスプレイＡ２１０は、
（７２００番フレーム）−（７１９０番フレーム）＝１０フレーム
或いは、
１０フレーム×（１／６０ｆｐｓ）＝０．１６秒
所望の値より表示が遅延していると判断できる。
【００７２】
このように表示が遅延する要因としては、ディスプレイに内蔵される内部処理クロック周波数が低い場合や、複数の処理を同時に行う事による。この結果、映像信号の復号処理にかかるリソースを割けずに復号処理能力不足となる事により、ディスプレイの映像再生能力が所望の性能を満たさないケースなどが挙げられる。
【００７３】
所望のフレーム番号と異なるフレーム番号（差分有り）を検出すると（ステップＳ２４のＹＥＳ）、ディスプレイＤ２４０は、フレーム補正量を演算する（ステップＳ２５）。上述の例を引用すると、このフレーム補正量は、
（７２００番フレーム）−（７１９０番フレーム）＝１０フレーム
となる。
【００７４】
ステップＳ２５により演算されたフレーム補正量を、ディスプレイＤ２４０は、遅延しているディスプレイＡ２１０に通知する（ステップＳ２６）。ステップＳ２６で、フレーム補正量を受信したディスプレイＡ２１０は、受信したフレーム補正量分飛ばしたフレーム番号の映像信号を表示する。例えば、前述の例を引用すると、ディスプレイＡ２１０が表示している映像信号のフレーム番号が８６００番である場合、次に表示すべきフレーム番号は、本来であれば、８６０１番となるところ、次の式のとおり上記フレーム補正量により補正され、８６１１番フレームである。
【００７５】
（８６０１番フレーム）＋（フレーム補正量１０フレーム）＝８６１１番フレーム
前述の例では、フレーム補正量である１０フレームを一度で補正したが、これを２フレームずつ、５回補正し、一度で飛ばされるフレーム数を抑制してマルチディスプレイ装置１を視聴している視聴者の違和感を少なくするなど、補正方法は多様にある。なお、ステップＳ２４において、差分が無い場合（ステップＳ２４のＮＯ）、ディスプレイＤ２４０の制御部２１４は、ステップＳ２５、Ｓ２６の処理を行わず処理を終了する。
【００７６】
図１０は、本実施の形態におけるマルチディスプレイ装置１において、マスターディスプレイを決定する動作を説明するためのフローチャートである。このマスターディスプレイは、他のディスプレイ全てと通信をし、所定の演算を常に行わねばならないため、他のディスプレイと比較し、処理負荷が重くなる。従って、マルチディスプレイ装置１において、最も処理能力が高いディスプレイをマスターディスプレイとした方が、装置全体のパフォーマンスを維持しやすい。
【００７７】
まず、マルチディスプレイ装置１を構成するディスプレイＡ２１０〜ディスプレイＤ２４０は、各々の処理能力を各々計測する（ステップＳ２７）。計測するタイミングは、マルチディスプレイ装置１を設置した時でも、装置全体の電源が起動した時でも良い。また、処理能力の算出は、ＣＰＵ負荷率でもよいし、演算能力を評価するベンチマークテスト結果を用いてもよい。
【００７８】
次に、ディスプレイＡ２１０〜ディスプレイＤ２４０の各々は、ステップＳ２７で計測された処理能力の計測結果を、マルチディスプレイ装置１を構成する他のディスプレイ全てに通知する（ステップＳ２８）。
【００７９】
次に、ディスプレイＡ２１０〜ディスプレイＤ２４０の各々は、ステップＳ２８で通知された他のディスプレイの処理能力の計測結果を全て受信する（ステップＳ２９）。
【００８０】
次に、ディスプレイＡ２１０〜ディスプレイＤ２４０の各々は、ステップＳ２９により通知された他のディスプレイの処理能力の計測結果と各々の処理能力の計測結果とを比較し、自ディスプレイがマスターディスプレイとなるべきか否かを判断する（ステップＳ３０）。比較の結果、ディスプレイＡ２１０〜ディスプレイＤ２４０の各々は、自ディスプレイの処理能力の計測結果が最も高ければ、自ディスプレイがマスターディスプレイと判断し、そうでなければ、自ディスプレイはマスターディスプレイではないと判断する。ここで、自ディスプレイの処理能力の計測結果と他のディスプレイの処理能力の計測結果が同一の場合、先にその処理能力の計測結果を通知したディスプレイ、或いは、先に電源投入されたディスプレイがマスターディスプレイとなるといった規則を事前に設けておくことにより、マルチディスプレイ装置１内に唯一のマスターディスプレイを設定することが可能となる。
【００８１】
また、マルチディスプレイ装置１を確実に運用するために、自ディスプレイがマスターディスプレイであると判断したディスプレイから、他のディスプレイに対してその旨を通知することが望ましい。もし、マスターディスプレイである旨通知したディスプレイが皆無あるいは重複した場合は、再度、マスターディスプレイを設定するといった規則を更に設けておいた方がよい。尚、上記実施の形態では各ディスプレイの時刻合わせとして、絶対時刻合わせをしているが、相対時刻合わせするようにしても良い。
【００８２】
以上のように、本実施の形態において、最も表示タイミングが遅いディスプレイに表示を合わせるのでは無く、本来映像信号が持つ所望のタイミングで全てのディスプレイの表示タイミングを合わせることができる。
【００８３】
（実施の形態６）
以下、図１１〜１４を用いて、実施の形態６を説明する。
【００８４】
［６−１．構成］
図１１は、実施の形態に係るマルチディスプレイ装置２の構成図である。
【００８５】
図１１において、ＩＰアドレス割り振り器３００は、ネットワーク接続された各機器に対し固有のＩＰアドレスを割り振る機能を有する。このＩＰアドレス割り振り器３００としては、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有するアクセスポイントやネットワークハブが使用できる。制御端末４００は、ＩＰアドレス割り振り器３００とネットワーク接続され、任意のＩＰアドレスが割り振られている。この制御端末４００としては、ノートパソコンやタブレット型端末が使用される。
【００８６】
ディスプレイＡ２１０〜ディスプレイＤ２４０は、各々ＩＰアドレス割り振り器３００とネットワーク接続されると共に、個々に固有のＩＰアドレスを割り振られる。図１１において、説明を簡便化するために、４個のディスプレイＡ２１０〜ディスプレイＤ２４０の４個のディスプレイを縦２面×横２面のレイアウトで配列して、４個のディスプレイＡ２１０〜ディスプレイＤ２４０で一つの画面を構成する例を示しているが、このディスプレイの個数や組み方には様々なバリエーションがあるため、本実施の形態に示した構成に限定されない。
【００８７】
ディスプレイＡ２１０〜ディスプレイＤ２４０の内部構成は、実施の形態１で示した図２と同じであるので、その説明は省略する。
【００８８】
［６−２．動作］
以上のように構成されたマルチディスプレイ装置２について、その動作を以下説明する。
【００８９】
図１２は、実施の形態６におけるマルチディスプレイ装置２の動作を説明するためのフローチャートである。
【００９０】
まず、ＤＨＣＰサーバ機能を有したＩＰアドレス割り振り器３００は、無線ＬＡＮ経由で、このＩＰアドレス割り振り器３００にネットワーク接続された機器全てに対して、任意のＩＰアドレスを個別に割り当てる（ステップＳ３１）。本実施の形態では、ＩＰアドレス割り振り器３００は、制御端末４００、及びディスプレイＡ２１０〜ディスプレイＤ２４０にＩＰアドレスを付与することになる。これにより、図１１の構成例の場合、制御端末４００と各ディスプレイＡ２１０〜ディスプレイＤ２４０は同一ネットワーク網に参加することになるため、双方でネットワーク経由での通信が可能となる。
【００９１】
次に、制御端末４００は、自端末が参加しているネットワーク網に参加している全ての機器に対し、対象となるディスプレイのみが応答可能となる特定のコマンドをネットワーク網を介して送信する。一般的に、マルチディスプレイ装置は、見た目の品位やメンテナンスのし易さの理由により、同一メーカのディスプレイで構成されるため、特定のコマンドに対して応答可能な機器が対象となるディスプレイとなる。このような特定のコマンドを受信したディスプレイＡ２１０〜ディスプレイＤ２４０は、自ディスプレイに割り当てられたＩＰアドレスを制御端末４００にネットワーク網を介して返信する。一方、対象となるディスプレイ以外の機器が特定のコマンドを受信した場合、受信したコマンドを解釈することができないため、何ら返信が制御端末４００に戻ってこない。その結果、制御端末４００は、対象となるディスプレイに割り当てられたＩＰアドレスのみを把握することができる（ステップＳ３２）。
【００９２】
次に、制御端末４００は、各ディスプレイＡ２１０〜ディスプレイＤ２４０に対して、ＩＰアドレス表示命令を発行、すなわち、ＩＰアドレスを表示させる制御信号を送信する（ステップＳ３３）。図１３はこのステップＳ３３を説明する図である。ステップＳ３２において、対象となるディスプレイＡ２１０〜ディスプレイＤ２４０のＩＰアドレスを把握した制御端末４００は、そのＩＰアドレスを利用して、対象となるディスプレイＡ２１０〜ディスプレイＤ２４０に対してＩＰアドレスを表示するコマンドを発行することで、図１３に示すように、ディスプレイＡ２１０〜ディスプレイＤ２４０は、各々が割り振られているＩＰアドレスを表示する。
【００９３】
図１３においては、ディスプレイＡ２１０〜ディスプレイＤ２４０にＩＰアドレスのみを示す例を図示しているが、サブネットマスクやゲートウェイ情報といったディスプレイＡ２１０〜ディスプレイＤ２４０のネットワーク設定情報が全て含まれている表示でも良いし、ディスプレイＡ２１０〜ディスプレイＤ２４０の基本設定情報である輝度やコントラスト設定等が含まれていても良い。このようなＩＰアドレスの表示は、制御部２１４が、通信部２１１を介して得られるＩＰアドレス表示命令に従って表示部２１２に表示させることによって行われる。
【００９４】
次に、操作者により、ＩＰアドレス関連づけ作業が実施される（ステップＳ３４）。図１４はこのステップＳ３４の処理を説明する図である。図１４の（ａ）にステップＳ３４の処理前の制御端末４００の表示画面例を示す。図１４中のＩＰリスト４１１として、ＩＰアドレス割り振り器３００が割り振った全ＩＰアドレスのうち、各ディスプレイＡ２１０〜ディスプレイＤ２４０のＩＰアドレスのみがアイコンとして表示部４１０に一覧表示される。
【００９５】
ＩＰアドレス割り振り器３００と制御端末４００がネットワーク通信をすることにより、表示されるＩＰアドレスを取得してもよい。
【００９６】
制御端末４００の表示部４１０には所望のディスプレイＡ２１０〜ディスプレイＤ２４０のＩＰアドレスのみを表示させることが、操作者の作業負担を最も軽減できる良い方法である。これは、上述したように制御端末４００から所望のディスプレイＡ２１０〜ディスプレイＤ２４０のみが受信可能なメーカ独自コマンド（特定コマンド）を発行することで、制御端末４００上に、ディスプレイＡ２１０〜ディスプレイＤ２４０に割り振られたＩＰアドレスのみをＩＰアドレスの一覧表示として表示可能となる。
【００９７】
図１４（ａ）において、ＩＰリスト４１１の隣に縦２面×横２面のマトリクス状に描かれた図形が表示されているが、これは、ディスプレイＡ２１０〜ディスプレイＤ２４０の物理的な配置構成を示す配置マップ４１２である。図１１に示す縦２面×横２面でマルチディスプレイ装置２を構成した場合、制御端末４００にはこのような表示がなされる。この物理的な配置マップの表示方法は、特許文献１に記載の方式が一般的に知られている。
【００９８】
図１３のように、ステップＳ３３の実行結果、ディスプレイＢ２２０に割り振られたＩＰアドレスは、「１９２．１６８．１０．１０３」である事が制御端末４００の操作者が目視により把握可能となる。このため、図１４（ｂ）のように、ＩＰリスト４１１として表示されたＩＰアドレスのアイコンを制御端末４００の表示部４１０に表示されたディスプレイの物理的な配置マップ上にドラッグ・アンド・ドロップ操作することにより、右上配置位置にあるディスプレイＢ２２０とＩＰアドレス１９２．１６８．１０．１０３」とが関連づけられる。この時、制御端末４００の表示部４１０に表示されたＩＰリスト４１１からドラッグ・アンド・ドロップ操作により配置マップ４１２と関連付けられたＩＰアドレスを消去する事により、以降の設定作業におけるＩＰアドレスの重複や設定忘れを事前に防ぐことが可能となる。
【００９９】
［６−３．効果等］
以上のように、本実施の形態において、ディスプレイＡ２１０〜ディスプレイＤ２４０の物理的な配置位置とＩＰアドレスとを、特別な撮像装置を別途用意することなく、作業者により、容易に関連づけることができる。これにより、ＩＰアドレス割り振り器３００にネットワーク接続された外部の映像送信サーバから送信された画像データのどの箇所をディスプレイＡ２１０〜ディスプレイＤ２４０の各々が表示すれば良いか把握可能となり、容易にマルチディスプレイ装置を構築可能となる。また、ディスプレイＡ２１０〜ディスプレイＤ２４０の物理的な配置位置とＩＰアドレスを映像送信サーバが把握可能である事より、映像送信サーバにて予め画面を各ディスプレイ用に個別に分割して送信することで、ディスプレイＡ２１０〜ディスプレイＤ２４０の各々の処理負荷を軽減することも可能となる。さらに、制御端末４００の表示部４１０には所望のディスプレイＡ２１０〜ディスプレイＤ２４０のＩＰアドレスのみを表示させるようにしているので、操作者の作業負担を軽減できる。
【０１００】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１０１】
本開示は、複数台のディスプレイがネットワーク接続されて一つの画面を表示するマルチディスプレイ装置に適用可能である。具体的には、複数台の液晶ディスプレイから構成されたビデオウォールシステム、サイネージシステムなどに、本開示は適用可能である。
【符号の説明】
【０１０２】
１，２    マルチディスプレイ装置
１００    映像送信サーバ
２１０    ディスプレイＡ
２２０    ディスプレイＢ
２３０    ディスプレイＣ
２４０    ディスプレイＤ
２１１    通信部
２１２    表示部
２１３    メモリ
２１４    制御部
３００    ＩＰアドレス割り振り器
４００    制御端末
４１０    表示部
４１１    ＩＰリスト
４１２    配置マップ
【図１】
2017107173.tif 000003
【図２】
2017107173.tif 000004
【図３】
2017107173.tif 000005
【図４】
2017107173.tif 000006
【図５】
2017107173.tif 000007
【図６】
2017107173.tif 000008
【図７】
2017107173.tif 000009
【図８】
2017107173.tif 000010
【図９】
2017107173.tif 000011
【図１０】
2017107173.tif 000012
【図１１】
2017107173.tif 000013
【図１２】
2017107173.tif 000014
【図１３】
2017107173.tif 000015
【図１４】
2017107173.tif 000016